(57)【要約】    【課題】簡単な構造でフラットケーブルの損傷を防止できるようにする。    【解決手段】電気的手段４６，４７を有する可動演出体３９，４０と、幅方向に複数の配線を有し且つ電気的手段４６，４７側と固定側とを電気的に接続する帯状のフラットケーブル５１，５２とを備える。フラットケーブル５１，５２は可動演出体３９，４０の作動に追従して可動演出体３９，４０の作動平面と略平行なケーブル長手方向に略円弧状に変形可能な余裕部８４，８４を有し、余裕部８４，８４と電気的手段４６，４７側及び／又は固定側との間に、フラットケーブル５１，５２を隣接する隣接部材４４，４５に沿って屈曲させる１又は複数の屈曲部を備える。【選択図】図４
2017148168.tif 000002
【特許請求の範囲】
【請求項１】
電気的手段を有する可動演出体と、
ケーブル幅方向に複数の配線を有し且つ前記電気的手段側と固定側とを電気的に接続する帯状のフラットケーブルとを備えた遊技機において、
前記フラットケーブルは前記可動演出体の作動に追従してケーブル長手方向に略円弧状に変形可能な余裕部を有し、
前記余裕部は前記ケーブル幅方向が前記可動演出体の作動平面の略垂直方向になるよう、前記作動平面と略平行な配置平面内に配置され、
前記余裕部と前記電気的手段側及び／又は前記固定側との間に、前記フラットケーブルを隣接する隣接部材に沿って屈曲させる１又は複数の屈曲部を備えた
ことを特徴とする遊技機。
【請求項２】
前記余裕部の両側で前記フラットケーブルを前記隣接部材側に押え付ける押え部を備えた
ことを特徴とする請求項１に記載の遊技機。
【請求項３】
前記電気的手段側及び前記固定側はコネクタを有する基板を備え、
前記コネクタに接続される前記フラットケーブルの両端の接続部はその幅方向が前記基板の板面と略平行である
ことを特徴とする請求項１又は２に記載の遊技機。
【請求項４】
遊技盤の裏側に配置された画像表示手段を備え、
前記可動演出体は前記遊技盤と前記画像表示手段との間で前記遊技盤及び／又は前記画像表示手段の表示画面に沿って作動可能であり、
前記余裕部は前記遊技盤の裏側で前記画像表示手段の表示画面から外れた位置に配置した
ことを特徴とする請求項１〜３の何れかに記載の遊技機。
【請求項５】
前記電気的手段はＬＥＤ基板を備えた発光演出手段であり、
該発光演出手段は発光表示部と、該発光表示部を裏側から発光させるＬＥＤ及び前記コネクタを含むＬＥＤ基板とを備えた
ことを特徴とする請求項１〜４の何れかに記載の遊技機。
【請求項６】
昇降案内手段に沿って昇降可能な複数の前記可動演出体を上下に備え、
前記各可動演出体に対応する前記フラットケーブルは前記余裕部を前後に離間して配置した
ことを特徴とする請求項１〜５の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機等の遊技機には、遊技盤とその裏側の画像表示手段との間に可動演出体を所定の作動方向に作動自在、例えば昇降自在に配置し、遊技中の特別遊技状態の発生その他の遊技状態に応じて、可動演出体を昇降させながら発光演出手段を発光させる等の演出が採用されている。
この種の遊技機では、複数の配線が幅方向に並べて配置された帯状のフラットケーブルを使用し、このフラットケーブルにより発光演出手段のＬＥＤ基板側のコネクタと固定側の中継基板のコネクタとを接続して、外部の演出制御基板からの演出制御信号により、中継基板、フラットケーブルを介してＬＥＤ基板の各ＬＥＤを発光制御するようになっている（特許文献１）。
フラットケーブルは可動演出体が昇降するに十分な余裕を持って追従するように余裕部を中継基板の前側に平面視Ｕ字状に配置し、余裕部の一端側をＬＥＤ基板側のコネクタに、他端側を中継基板側のコネクタに夫々接続している。
【先行技術文献】
【特許文献】
【０００３】
【特許文献１】特開２０１３−２４４３５１号公報
【発明の概要】
【発明が解決しようとする課題】
【０００４】
従来の遊技機では、可動演出体が昇降したときにＬＥＤ基板側のコネクタに接続された余裕部の一端側が上下動するようになっており、フラットケーブルの余裕部に対して可動演出体がフラットケーブルの幅方向に移動する関係にあるため、フラットケーブルの余裕部に可動演出体の昇降に必要な十分な余裕を持たせているとは云え、可動演出体が昇降する毎にフラットケーブルに対して捩じれ方向の外力が加わることになる。
そのため長期間稼動する遊技機の場合には、度重なる可動演出体の昇降により、フラットケーブルに対して不必要な外力が断続的に加わり、それによってフラットケーブルが局部的に損傷する等の問題がある。
本発明は、このような従来の問題点に鑑み、簡単な構造でフラットケーブルの損傷を防止できる遊技機を提供することを目的とする。
【課題を解決するための手段】
【０００５】
本発明は、電気的手段を有する可動演出体と、ケーブル幅方向に複数の配線を有し且つ前記電気的手段側と固定側とを電気的に接続する帯状のフラットケーブルとを備えた遊技機において、前記フラットケーブルは前記可動演出体の作動に追従してケーブル長手方向に略円弧状に変形可能な余裕部を有し、前記余裕部は前記ケーブル幅方向が前記可動演出体の作動平面の略垂直方向になるよう、前記作動平面と略平行な配置平面内に配置され、前記余裕部と前記電気的手段側及び／又は前記固定側との間に、前記フラットケーブルを隣接する隣接部材に沿って屈曲させる１又は複数の屈曲部を備えたものである。
前記余裕部の両側で前記フラットケーブルを前記隣接部材側に押え付ける押え部を備えたものでもよい。前記電気的手段側及び前記固定側はコネクタを有する基板を備え、前記コネクタに接続される前記フラットケーブルの両端の接続部はその幅方向が前記基板の板面と略平行であってもよい。
遊技盤の裏側に配置された画像表示手段を備え、前記可動演出体は前記遊技盤と前記画像表示手段との間で前記遊技盤及び／又は前記画像表示手段の表示画面に沿って作動可能であり、前記余裕部は前記遊技盤の裏側で前記画像表示手段の表示画面から外れた位置に配置してもよい。
前記電気的手段はＬＥＤ基板を備えた発光演出手段であり、該発光演出手段は発光表示部と、該発光表示部を裏側から発光させるＬＥＤ及び前記コネクタを含むＬＥＤ基板とを備えたものでもよい。昇降案内手段に沿って昇降可能な複数の前記可動演出体を上下に備え、前記各可動演出体に対応する前記フラットケーブルは前記余裕部を前後に離間して配置したものでもよい。
【発明の効果】
【０００６】
本発明によれば、簡単な構造でフラットケーブルの損傷を防止できる利点がある。
【図面の簡単な説明】
【０００７】
【図１】本発明の第１の実施形態を示すパチンコ機の正面図である。
【図２】同裏ケース、可動演出ユニットの正面図である。
【図３】同遊技盤の平面断面図である。
【図４】同可動演出ユニットの正面図である。
【図５】同支持ケースの上部側のフラットケーブルの固定部分の側面断面図である。
【図６】同第１可動演出体側の平面断面図である。
【図７】同第１フラットケーブルの第１可動演出体側の固定部分の正面断面図である。
【図８】同支持ケースの下部側のフラットケーブルの固定部分の側面断面図である。
【図９】同第２可動演出体側の平面断面図である。
【図１０】同第２フラットケーブルの第２可動演出体側の固定部分の正面断面図である。
【図１１】同支持ケース側の破断斜視図である。
【図１２】同可動演出体、フラットケーブル等の斜視図である。
【図１３】同フラットケーブルの屈曲構造の斜視図である。
【図１４】本発明の第２の実施形態を示す可動演出体、フラットケーブル等の斜視図である。
【図１５】同第２可動演出体側の平面断面図である。
【図１６】同フラットケーブルの固定部分の正面断面図である。
【図１７】本発明の第３の実施形態を示す可動演出ユニットの断面図である。
【図１８】本発明の第４の実施形態を示す可動演出ユニットの要部の斜視図である。
【図１９】同可動演出ユニットの要部の平面断面図である。
【発明を実施するための形態】
【０００８】
以下、本発明の実施形態を図面に基づいて詳述する。
【０００９】
図１〜図１３は本発明をパチンコ機に採用した第１の実施形態を例示している。図１において、遊技機本体１は矩形状の外枠２と、この外枠２の左右一側のヒンジを介して縦軸心廻りに開閉及び着脱自在に枢着された前枠３とを備えている。
【００１０】
前枠３には上部側に遊技盤４が着脱自在に装着され、また下部側に発射手段６等が配置されている。前枠３には遊技盤４の前側を覆う第１開閉扉７と、この第１開閉扉７の下側で発射手段６を前側から覆う第２開閉扉８とが設けられている。各開閉扉７，８は前枠３用のヒンジと同じ側のヒンジにより前枠３に開閉及び着脱自在に枢着されている。
【００１１】
第２開閉扉８の前側には、発射用の遊技球を貯留して発射手段６に供給する球貯留皿１０と、発射手段６を作動させるための発射ハンドル１１とが設けられている。第１開閉扉７には、遊技盤４の前面側の遊技領域１２に対応する視認窓１３と、遊技領域１２を視認可能に視認窓１３を塞ぐ透明板ユニット（図示省略）とが設けられている。
【００１２】
遊技盤４の前面には、発射手段６から発射された遊技球を案内するガイドレール１４と、このガイドレール１４の反対側に配置された外飾り部材とが略円環状に設けられており、それらの内側が遊技領域１２となっている。遊技領域１２には中央表示装置１５、普通図柄始動手段１６、第１特別図柄始動手段１７、第２特別図柄始動手段１８、大入賞手段１９、普通入賞手段２０等の各種遊技部品が配置されている。
【００１３】
普通図柄始動手段１６は遊技球が通過可能なゲートにより構成されている。第１特別図柄始動手段１７及び普通入賞手段２０は非開閉式の入賞手段により構成され、第２特別図柄始動手段１８及び大入賞手段１９は開閉式の入賞手段により構成されている。従って、入賞手段１７〜２０に遊技球が入賞した場合には、所定個数の賞球が払い出されるようになっている。
【００１４】
中央表示装置１５は、図２，図３等に示すように、遊技盤４に対して前側から着脱自在に装着された前構造体２１と、前構造体２１に対応して遊技盤４の裏側に着脱自在に装着された裏構造体２３と、裏構造体２３に装着された液晶式その他の画像表示手段（表示手段）２２とを備えている。
【００１５】
裏構造体２３は、遊技盤４の裏側に装着された裏ケース２６を備えている。裏ケース２６は前側が開放する略箱形状であって、前端側の外周の取り付け部２６ａがねじ等の固定具により遊技盤４の裏面に着脱自在に固定されている。裏ケース２６の後壁２６ｂには、その後表示窓２５に対応して画像表示手段２２が裏側から着脱自在に装着されている。裏ケース２６の前側内部には、後壁２６ｂに着脱自在に装着された可動演出ユニット２７が配置されている。
【００１６】
前構造体２１は、図１及び図３に示すように、画像表示手段２２の外周側で遊技盤４の開口部４ａの周辺を前側から覆う表示枠３２と、この表示枠３２の下部側に沿って左右方向に配置され且つ入球口３３から入球した遊技球を左右方向に転動させて前側に落下させるステージ３４とを備えている。
【００１７】
表示枠３２には画像表示手段２２の表示画面を前側から視認可能な大きさの前表示窓３１が略中央に形成され、また前面側に普通図柄表示手段３５、特別図柄表示手段３６等の各種表示手段が設けられている。
【００１８】
普通図柄表示手段３５は普通図柄を変動表示するためのもので、複数種類の普通図柄（例えば２種類の「○」「×」）に対応する２つの発光素子により構成されており、普通図柄始動手段１６が遊技球を検出することを条件に２つの発光素子が交互に点灯するように所定時間点滅して、普通図柄始動手段１６が遊技球を検出したときに取得した特定遊技判定乱数値が予め定められた特定遊技判定値と一致した場合に特定遊技態様である「○」側の発光素子が、それ以外の場合に非特定遊技態様である「×」側の発光素子が夫々点灯して停止するようになっている。なお、普通図柄が特定遊技態様で停止した場合には、第２特別図柄始動手段１８が所定時間開放する特定遊技状態となる。
【００１９】
特別図柄表示手段３６は、１個又は複数個、例えば１個の特別図柄を変動表示するためのもので、７セグメント式等の表示手段により構成されており、非開閉式の第１特別図柄始動手段１７と開閉式の第２特別図柄始動手段１８との何れかに遊技球が入賞することを条件に特別図柄が所定時間変動して、第１特別図柄始動手段１７、第２特別図柄始動手段１８の何れかに遊技球が入賞したときに取得した特別遊技判定乱数値が予め定められた特別遊技判定値と一致した場合には所定の特別遊技態様で、それ以外の場合には非特別遊技態様で夫々停止するようになっている。なお、特別図柄が特別遊技態様で停止した場合には、大入賞手段１９が所定の開閉パターンに従って開放する特別遊技状態が発生する。
【００２０】
画像表示手段２２は、各種の演出画像を随時表示する演出画像表示手段を構成する他、特別図柄表示手段３６の特別図柄の変動時に演出図柄表示手段３７を構成するようになっている。
【００２１】
演出図柄表示手段３７は、図１に示すように、特別図柄表示手段３６の特別図柄の変動時に、その特別図柄に同期して変動する１又は複数個、例えば左右方向に３個の演出図柄３７ａ〜３７ｃを表示可能である。演出図柄３７ａ〜３７ｃは特別図柄表示手段３６による特別図柄の変動開始と略同時に所定の変動パターンに従って変動を開始し、特別図柄の変動停止と略同時に最終停止するように左、右、中等の所定の順序で停止する。
【００２２】
なお、画像表示手段２２は特別図柄表示手段３６の特別図柄の変動表示中であっても、その特別図柄の変動と直接関係のない演出画像を演出図柄３７ａ〜３７ｃの背景部分又は周辺部分に表示するようにしてもよい。
【００２３】
可動演出ユニット２７は、演出図柄表示手段３７の演出図柄３７ａ〜３７ｃの変動表示と同期して予告演出等の可動演出を行うためのものであり、遊技盤４と画像表示手段２２との間に配置された第１可動演出体３９及び第２可動演出体４０を有し、その各可動演出体３９，４０が遊技盤４、画像表示手段２２と平行な昇降方向（作動方向）に上下動するようになっている。
【００２４】
即ち、この可動演出ユニット２７は、図２〜図４に示すように、画像表示手段２２の前上側の上昇位置（退避位置）Ａ，Ｂと画像表示手段２２の前側の下降位置（演出位置）Ｃ，Ｄとの間で上下方向の作動平面に沿って昇降可能な第１可動演出体３９及び第２可動演出体４０と、画像表示手段２２の左右一側に配置され可動演出体３９，４０を上下方向に昇降可能に片持ち状に案内する昇降案内手段４１と、昇降案内手段４１に沿って可動演出体３９，４０を上昇（又は昇降）させる駆動手段４２と、昇降案内手段４１及び駆動手段４２が組み付けられた固定側の支持ケース４３とを備え、第１可動演出体３９及び第２可動演出体４０が昇降案内手段４１に沿って上下方向に昇降するようになっている。
【００２５】
作動平面は可動演出体３９，４０の作動方向である上下方向（昇降方向）を含む平面であり、例えば昇降案内手段４１の案内中心を含む上下、左右方向の平面とすることができるが、案内中心廻りの任意方向に設定することも可能である。
【００２６】
第１可動演出体３９、第２可動演出体４０は両者の昇降及び／又は発光により所定の演出効果を奏する構成であって、図４に示すように、左右方向に長い第１支持部材４４、第２支持部材４５と、この各支持部材４４，４５の前側に装着された第１発光演出手段（電気的手段）４６、第２発光演出手段（電気的手段）４７とを備え、上下に略平行に配置されている。
【００２７】
第１発光演出手段４６、第２発光演出手段４７は、前側に配置された第１発光演出部材４６ａ、第２発光演出部材４７ａと、各発光演出部材４６ａ，４７ａを裏側から発光させる第１ＬＥＤ基板４８、第２ＬＥＤ基板４９とを備えている。
【００２８】
各ＬＥＤ基板４８，４９は昇降案内手段４１に対して可動演出体３９，４０と反対の外側方の固定側に配置された中継基板（固定基板）５０と、第１フラットケーブル５１及び第２フラットケーブル５２とを介して演出制御基板（図示省略）に接続されている。フラットケーブル５１，５２は、複数本の配線を幅方向に配置して帯状に構成されている。
【００２９】
各ＬＥＤ基板４８，４９は作動平面と略平行で左右方向に長い矩形状に構成され、発光演出部材４６ａ，４７ａの発光部位（図示省略）に対応して配置された複数のＬＥＤ４８ａ，４９ａと、昇降案内手段４１側の端部に配置された上下方向に長いコネクタ４８ｂ，４９ｂとが前面側に装着されており、そのコネクタ４８ｂ，４９ｂに側方からフラットケーブル５１，５２の接続部が着脱自在に挿入して接続されている。フラットケーブル５１，５２の接続部はその幅方向がＬＥＤ基板４８，４９の板面と略平行になっている。
【００３０】
なお、発光演出部材４６ａ，４７ａには装飾性を有する造形物、その他のものが採用されている。また支持部材４４，４５、発光演出手段４６，４７は可動部を有するものでもよい。
【００３１】
支持ケース４３は、図５〜図１０に示すように、後表示窓２５よりも外側に上下方向に配置されており、裏ケース２６の後壁２６ｂに固定されている。この支持ケース４３は中間部材５４と裏部材５５と前部材５６とにより構成されている。
【００３２】
昇降案内手段４１は支持ケース４３の前部側で遊技盤４の裏側近傍に上下方向に配置され且つ上下両端側で支持ケース４３に固定された丸棒状の１本の案内部材５７と、各可動演出体３９，４０に設けられ且つ案内部材５７に摺動自在に案内される被案内部５８，５９と、各可動演出体３９，４０の昇降時に案内部材５７廻りに各可動演出体３９，４０が振れないように規制する振れ止め手段６０とを備えている。案内部材５７は遊技盤４及び画像表示手段２２の表示画面と略平行に配置されている。
【００３３】
なお、画像表示手段２２の表示画面が前上側へと若干傾斜する場合には、案内部材５７は遊技盤４と画像表示手段２２の表示画面との何れか一方と略平行に設けてもよい。また昇降案内手段４１は可動演出体３９，４０を左右両側で両持ち状に案内するようにしてもよい。
【００３４】
振れ止め手段６０は、図６に第１可動演出体３９側を示すように、可動演出体３９，４０の基部側から突出する振れ止め突起６０ａと、支持ケース４３内に配置された一対の振れ止め部６０ｂとを備えている。振れ止め部６０ｂは振れ止め突起６０ａの前後両側で支持ケース４３の中間部材５４と前部材５６とに前後に相対向して上下方向に設けられている。
【００３５】
なお、この実施形態では、丸棒状の１本の案内部材５７により各可動演出体３９，４０を昇降自在に案内しているため、振れ止め手段６０を設ける必要があるが、案内部材５７が各可動演出体３９，４０の振れを規制する断面形状であるか、又は複数の案内部材５７で各可動演出体３９，４０を案内する場合には、別途、振れ止め手段６０を設ける必要はない。
【００３６】
支持ケース４３の上部側には、図２〜図４に示すように、第１可動演出体３９、第２可動演出体４０を上昇位置Ａ，Ｂに保持する第１保持手段６２、第２保持手段６３が各可動演出体３９，４０に対応して設けられている。支持ケース４３の下部側には、第１可動演出体３９、第２可動演出体４０を下降位置Ｃ，Ｄで受ける第１ストッパ６４、第２ストッパ６５が各可動演出体３９，４０に対応して設けられている。
【００３７】
また支持ケース４３の上下方向の中間部には、第２可動演出体４０の落下時に、その途中から第２可動演出体４０の落下速度を緩和して減速するための減速降下手段７６が第２ストッパ６５よりも上側に設けられている。
【００３８】
各保持手段６２，６３は上昇位置Ａ，Ｂの両可動演出体３９，４０が表示枠３２の裏側で上下に接近するように各可動演出体３９，４０に対応して配置されている。上昇位置Ａ，Ｂの各可動演出体３９，４０は、第１可動演出体３９の第１支持部材４４の基部側が第２可動演出体４０の第２支持部材４５の基部側に当接した状態にある。
【００３９】
なお、第２可動演出体４０の下部側の一部が前表示窓３１側に出ているが、主要部が出るようにしてもよいし、表示枠３２を介して可動演出体３９，４０の一部又は主要部が視認できるようにしてもよい。
【００４０】
第１保持手段６２は、図４に示すように、第１可動演出体３９の上側に設けられた係合部６２ａと、この係合部６２ａに対して係脱自在に設けられた係合具６２ｂと、支持ケース４３側に設けられ且つ係合具６２ｂを係脱方向に駆動するソレノイド６２ｃとを備え、第１可動演出体３９が上昇位置Ａまで上昇したときに係合具６２ｂが係合部６２ａに係合し、またその係合を解除するときはソレノイド６２ｃの駆動により、係合具６２ｂが係合部６２ａから離脱するようになっている。
【００４１】
なお、係合具６２ｂはソレノイド６２ｃの駆動により、係合具６２ｂを係合部６２ａから離脱させるようになっているが、ソレノイドに代えて電動モータにより係合具６２ｂを駆動するようにしてもよい。
【００４２】
第２保持手段６３は、図２、図５に示すように、第２可動演出体４０の基部側から裏側に突出する突起状の係合部６７と、係合部６７に係脱自在に設けられた係合具６８と、この係合具６８を係脱方向に駆動する駆動モータ６９とを備え、第２可動演出体４０が上昇位置Ｂまで上昇したときに駆動モータ６９の駆動により係合具６８が係合部６７に係合し、その係合を解除するときに駆動モータ６９の駆動により係合具６８が係合部６７から離脱するようになっている。
【００４３】
係合部６７は支持ケース４３内に突出して設けられ、また係合具６８は支軸７０により支持ケース４３内の中間部材５４に係脱方向に揺動自在に枢着されている。駆動モータ６９は支持ケース４３の裏部材５５の裏側に固定されており、支持ケース４３内で出力軸に固定された駆動ギヤー７１、クランク機構７２等を介して係合具６８を係脱方向に駆動するようになっている。
【００４４】
クランク機構７２は支持ケース４３に回転自在に支持され且つ駆動ギヤー７１に噛合する従動ギヤー７３と、従動ギヤー７３に固定されたピン６１と、係合具６８の係合部６７と反対側に設けられピン６１が係合する長孔６６とを備え、従動ギヤー７３の往復回転によりピン６１が長孔６６内を相対摺動して係合具６８が支軸７０廻りに係脱方向に揺動するようになっている。なお、第２保持手段６３は第１保持手段６２と同様に係合具６８をソレノイド等の駆動源で駆動するようにしてもよい。
【００４５】
第１ストッパ６４、第２ストッパ６５は、図２に二点鎖線で示すように、各可動演出体３９，４０が画像表示手段２２の前下部側の下降位置Ｃ，Ｄまで下降したときに、各支持部材４４，４５の基部側を下側から受けるためのものであり、各支持部材４４，４５の基部側に対応して支持ケース４３に設けられている。
【００４６】
なお、各ストッパ６４，６５はゴム等の弾性材で構成されており、可動演出体３９，４０が自重により落下するときの衝撃を緩和する衝撃緩和機能を有する。また各ストッパ６４，６５は両可動演出体３９，４０の発光演出手段４６，４７が上下に近接するように配置してもよい。
【００４７】
減速降下手段７６は、図４に示すように、支持ケース４３に上下動自在に支持された丸棒等の当接部材７７と、この当接部材７７を上向きに付勢するコイルバネ等の付勢バネ７４とを備えている。従って、第２可動演出体４０は当接部材７７に当接するまでは急速に落下し、その後は付勢バネ７４に抗して落下速度を緩和し減速しながら下降する。
【００４８】
なお、この実施形態では、両可動演出体３９，４０は下降位置Ｃ，Ｄでは上下に所定の間隔を開けた状態で停止しているが、両可動演出体３９，４０は上下に近接又は重なるようにしてもよい。
【００４９】
駆動手段４２は、図５、図６及び図９に示すように、支持ケース４３の裏部材５５に固定された駆動モータ７８と、駆動モータ７８の出力軸に固定された駆動ギヤー７９と、支持ケース４３の中間部材５４と裏部材５５との間に昇降自在に配置され且つ駆動ギヤー７９の正逆転により昇降するラック８０と、第２可動演出体４０に固定された突起状の被押し上げ部８１と、被押し上げ部８１の下側に対応してラック８０に固定された押し上げ部８２とを備え、ラック８０の上昇時に押し上げ部８２により被押し上げ部８１を介して可動演出体３９，４０を上昇させるようになっている。
【００５０】
なお、下降位置Ｃ，Ｄから第１可動演出体３９の下側に当接するまでは、駆動ギヤー７９の正逆転により第２可動演出体４０が単独で昇降可能であり、第１可動演出体３９の下側に当接してから上昇位置Ａ，Ｂで各保持手段６２，６３により保持されるまでは、両可動演出体３９，４０が一体に昇降可能である。各可動演出体３９，４０は下降位置Ｃ，Ｄでは上下に近接または当接するようにしてもよい。
【００５１】
支持ケース４３内には、図４〜図９に示すように、可動演出体３９，４０、昇降案内手段４１等の外側方に第１フラットケーブル５１、第２フラットケーブル５２、中継基板５０を収容する収容室７５が縦長状に形成されている。中継基板５０は縦長状であって、上昇位置Ａ，Ｂの可動演出体３９，４０の外側方に対応する高さに配置され、その前面側の上下に左右方向に長いコネクタ８５，８６が装着されている。
【００５２】
各フラットケーブル５１，５２は各可動演出体３９，４０の基部側と中継基板５０との間で正面視Ｕ字状等の略円弧状に湾曲して垂れ下がる垂れ下がり部（余裕部）８３，８４を有し、一端側の接続部が各ＬＥＤ基板４８，４９の前面のコネクタ４８ｂ，４９ｂに、他端側の接続部が中継基板５０の前面のコネクタ８５，８６に夫々着脱自在に接続されている。各フラットケーブル５１，５２の両端の接続部は、その幅方向がＬＥＤ基板４８，４９、中継基板５０の板面と略平行に配置されている。
【００５３】
垂れ下がり部８３，８４はフラットケーブル５１，５２のケーブル幅方向が前後方向になっており、各可動演出体３９，４０の昇降方向を含む作動平面と略平行な配置平面内に配置され、可動演出体３９，４０のＬＥＤ基板４８，４９側の昇降に追従してその配置平面内に略沿ってケーブル長手方向に略円弧状に変形可能である。
【００５４】
各フラットケーブル５１，５２の一端側は、図６、図７、図９、図１０及び図１２に示すように、複数の屈曲部５１ａ，５１ｂ、５２ａ〜５２ｄで屈曲して、各可動演出体３９，４０の支持部材（隣接部材）４４，４５側の前壁部（隣接部材）８７，８８、側壁部（隣接部材）８９，９０に沿って配置され、押えカバー（押え部材）９１，９２により支持部材４４，４５側に押えられており、その側壁部８９，９０と押えカバー９１，９２との下端から下向きに引き出されている。押えカバー９１，９２は発光演出部材４６ａ，４７ａと一体、別体の何れでもよい。
【００５５】
また各フラットケーブル５１，５２の他端側は、図６、図８、図９及び図１３に示すように、複数の屈曲部５１ｃ〜５１ｅ，５２ｅ〜５２ｉで屈曲して、支持ケース４３側の中間壁部（隣接部材）９５及び側壁部（隣接部材）９６に沿って配置され、その側壁部９６の下部の押え部材９７，９８を経て下向きに引き出されている。
【００５６】
第１可動演出体３９側の第１支持部材４４には、図１２に示すように、その前壁部８７に第１ＬＥＤ基板４８側から基部側へと左右方向に収容溝８７ａが形成され、また基部側の側壁部８９に上規制部８９ａと、この上規制部８９ａの後側から下方へと伸びる後規制部８９ｂとが形成されている。
【００５７】
第１フラットケーブル５１の一端側は、前壁部８７の収容溝８７ａ内に左右方向に配置されると共に、その収容溝８７ａの外端側の屈曲部５１ａにおいて、上規制部８９ａの下側で側壁部８９に沿って後向きに略直角に屈曲され、また後規制部８９ｂの前側近傍で側壁部８９に沿って略４５度の屈曲部５１ｂで下向きに屈曲されて垂れ下がり部８４へと下方に伸びている。
【００５８】
第１可動演出体３９側の押えカバー９１には、収容溝８７ａ内の第１フラットケーブル５１を前壁部８７側に押える押え部９１ａと、側壁部８９の下端側の近傍で第１フラットケーブル５１を側壁部８９側に押える押え部９１ｂ（図７参照）とが設けられている。押え部９１ａは第１フラットケーブル５１のケーブル長手方向に１又は複数あり、押え部９１ｂは引き出し位置の近傍に設けられている。
【００５９】
第２可動演出体４０側の第２支持部材４５には、図１２に示すように、前壁部８８の第２ＬＥＤ基板４９側に左右方向に配置された上収容溝８８ａと、基部側に左右方向に配置された下収容溝８８ｂと、この両収容溝８８ａ，８８ｂを上下に接続する縦収容溝８８ｃとが設けられている。
【００６０】
また第２可動演出体４０側の第２支持部材４５には、その基部側の側壁部９０に上規制部９０ａと、この上規制部９０ａの後下側に配置された後規制部９０ｂと、引き出し位置の近傍に配置された凹状の押え部９０ｃとが設けられている。
【００６１】
第２フラットケーブル５２の一端側は第２支持部材４５の前壁部８８の各収容溝８８ａ〜８８ｃ内に屈曲状に配置されており、その上収容溝８８ａの外端側で略４５度の屈曲部５２ａを介して縦収容溝８８ｃに沿って下向きに屈曲され、また縦収容溝８８ｃの下端側で略４５度の屈曲部５２ｂを介して下収容溝８８ｂに沿って外向きに屈曲されている。
【００６２】
第２フラットケーブル５２は下収容溝８８ｂの外端側の屈曲部５２ｃにおいて、上規制部９０ａの下側で側壁部９０に沿って後向きに略直角に屈曲され、また後規制部９０ｂの前側で側壁部９０に沿って略４５度の屈曲部５２ｂで下向きに屈曲されて、その下方の垂れ下がり部８４へと下向きに伸びている。なお、前壁部８８には、縦収容溝８８ｃ内の第２フラットケーブル５２を係止する爪状の係止部８８ｄが設けられている。
【００６３】
第２可動演出体４０側の押えカバー９２には、上収容溝８８ａ及び下収容溝８８ｂ内の第２フラットケーブル５２を前壁部８８側に押える押え部９２ａ，９２ｂと、側壁部９０の押え部９０ｃとの間で第２フラットケーブル５２を屈曲状に挟む凸状の押え部９２ｃ（図１０参照）とが設けられ、これらにより第２フラットケーブル５２を支持部材４５との間で押えるようになっている。
【００６４】
なお、収容溝８７ａ，８８ａ〜８８ｃに代えてフラットケーブル５１，５２をケーブル幅方向の両側に対応する規制部を設けてもよい。収容溝８７ａ，８８ａ〜８８ｃはフラットケーブル５１，５２のケーブル幅方向の両側の段差部でフラットケーブル５１，５２の位置を規制するようになっている。従って、収容溝８７ａ，８８ａ〜８８ｃに代えて、前壁部８７，８８の前面に、フラットケーブル５１，５２をケーブル幅方向の両側に対応する規制部を突状に設けてもよい。
【００６５】
また第２フラットケーブル５２の垂れ下がり部８４は、第１フラットケーブル５１の垂れ下がり部８３に比較して垂れ下がり量が大であって、組立て等の際に他の部材等に引っ掛かり易いため、第２フラットケーブル５２の垂れ下がり部８４の一端側を確実に固定できるように押え部９２ｃの押え量を大にしている。
【００６６】
各フラットケーブル５１，５２の他端側は、中継基板５０側では中間壁部９５に沿って下向きに、垂れ下がり部８３，８４側では側壁部９６に沿って下向きに夫々配置されている。
【００６７】
第１フラットケーブル５１の他端側には、その中間部分に中間壁部９５、側壁部９６に沿うように各屈曲部５１ｃ〜５１ｅが設けられている。屈曲部５１ｃは中間壁部９５に沿って側壁部９６側へと横向きに約４５度で屈曲し、屈曲部５１ｄは中間壁部９５から側壁部９６に沿って前向きに屈曲し、屈曲部５１ｅは側壁部９６に沿って下向きに約４５度で屈曲している。
【００６８】
また第２フラットケーブル５２の他端側には、その中間部分に中間壁部９５、側壁部９６等に沿うように屈曲部５２ｅ〜５２ｉが設けられている。屈曲部５２ｅは中間壁部９５の下端から段差部９５ａに沿って後向きに屈曲し、屈曲部５２ｆは段差部９５ａの後端から下中間壁部９５ｂに沿って下向きに屈曲し、屈曲部５２ｇは下中間壁部９５ｂに沿って側壁部９６へと横向きに約４５度で屈曲し、屈曲部５２ｈは下中間壁部９５ｂから側壁部９６に沿って前向きに屈曲し、屈曲部５２ｉは側壁部９６に沿って下向きに約４５度で屈曲している。
【００６９】
第２フラットケーブル５２用の第２押え部材９８は、第２フラットケーブル５２の屈曲部５２ｅ〜５２ｉ側を押える押え部９８ａと、この押え部９８ａから上方に縦長帯状に一体に設けられ且つ第２フラットケーブル５２を中間壁部９５に沿って押えて両フラットケーブル５１，５２の接触を防止する縦帯板状の接触防止部９８ｂとを備え、ネジ等の固定具で支持ケース４３側に着脱自在に固定されている。
【００７０】
第１フラットケーブル５１側の第１押え部材９７は、第２押え部材９８の接触防止部９８ｂ上に第１フラットケーブル５１を押えるもので、ネジ等の固定具で支持ケース４３側に着脱自在に固定されている。
【００７１】
各フラットケーブル５１，５２の垂れ下がり部８３，８４は、各可動演出体３９，４０の昇降量の大小に合わせて第２フラットケーブル５２側の垂れ下がり量が大であり、第１フラットケーブル５１側の垂れ下がり量が小である。
【００７２】
両フラットケーブル５１，５２の垂れ下がり部８３，８４は前後に離れており、第１フラットケーブル５１側が前側に、第２フラットケーブル５２側が後側に夫々配置されている。一方、第１ストッパ６４は第１フラットケーブル５１の垂れ下がり部８３と干渉しないように、それよりも後側の第２フラットケーブル５２の垂れ下がり部８４側にある。
【００７３】
また各フラットケーブル５１，５２の垂れ下がり部８３，８４の左右幅は、第１フラットケーブル５１側が小であるのに対して第２フラットケーブル５２側が大であり、第１ストッパ６４と干渉しないように、第２フラットケーブル５２の第２可動演出体４０の基部側から下方に垂れ下がる部分が第１ストッパ６４よりも昇降案内手段４１側に位置している。
【００７４】
支持ケース４３には、図１１及び図１３に示すように、第１ストッパ６４の取り付け台１００の下側の昇降案内手段４１側に隔壁１０１があり、この隔壁１０１に形成された長孔１０２に第２フラットケーブル５２の垂れ下がり部８４が挿通されている。従って、第２フラットケーブル５２の垂れ下がり部８４は、第１可動演出体３９の昇降時に第１ストッパ６４と干渉しないように隔壁１０１により左右に分離されている。
【００７５】
この実施形態では、通常、各可動演出体３９，４０は保持手段６２，６３により上昇位置Ａ，Ｂに保持されている。特別図柄始動手段１７，１８に遊技球が入賞して特別図柄表示手段３６の特別図柄が変動を開始すると、それに同期して演出図柄表示手段３７の演出図柄３７ａ〜３７ｃが変動し、特別図柄の変動を演出図柄３７ａ〜３７ｃの変動表示により演出する。そして、所定の変動パターンで特別図柄表示手段３６の特別図柄が所定時間変動すると、特別遊技態様と非特別遊技態様との何れかで停止し、また演出図柄表示手段３７の演出図柄３７ａ〜３７ｃが特別図柄に同期して停止する。
【００７６】
変動後の特別図柄が特別遊技態様で停止する確率が高い変動パターンで変動する等、特別遊技状態の発生を予告する予告条件を満たすと、演出図柄表示手段３７が演出図柄３７ａ〜３７ｃを変動表示する他に、画像表示手段２２が所定の予告画像を表示し、また各可動演出体３９，４０による可動発光演出を行う。
【００７７】
予告演出等に際しては、各可動演出体３９，４０のＬＥＤ４８ａ，４９ａを発光又は点滅発光と、各可動演出体３９，４０の落下及び上昇とを組み合わせることにより、複数種類の可動発光演出が可能である。
【００７８】
例えば、第２可動演出体４０のＬＥＤ４８ａ，４９ａを発光又は点滅発光させながら、第２可動演出体４０を上昇位置Ｂから下降位置Ｄへと落下させて、その落下から所定時間が経過したときに第２可動演出体４０を上昇位置Ｂへと上昇させる演出動作、或いは各可動演出体３９，４０のＬＥＤ４８ａ，４９ａを発光又は点滅発光させながら、先ず第２可動演出体４０を上昇位置Ｂから下降位置Ｄへと落下させ、次いで第１可動演出体３９を上昇位置Ａから下降位置Ｃへと落下させて、その後に所定時間が経過したときに第２可動演出体４０、第１可動演出体３９を上昇位置Ａ，Ｂへと上昇させる演出動作等がある。
【００７９】
第２可動演出体４０を落下させる場合には、第２保持手段６３による第２可動演出体４０の保持を解除すると、第２可動演出体４０が昇降案内手段４１に沿って上昇位置Ｂから下降位置Ｄへと自重により落下し、下降位置Ｄで第２ストッパ６５に当接して停止する。第２可動演出体４０は減速降下手段７６の当接部材７７に当接するまでは所定の速度で落下するが、当接部材７７に当接した後はその慣性力により付勢バネ７４に抗しながら落下するので、徐々に減速しながら下降位置Ｄまで落下する。
【００８０】
また第１保持手段６２による第１可動演出体３９の保持を解除すると、第１可動演出体３９が昇降案内手段４１に沿って上昇位置Ａから下降位置Ｃへと自重により落下し、下降位置Ｃで第１ストッパ６４に当接して停止する。
【００８１】
各可動演出体３９，４０を上昇させる場合には、駆動手段４２の駆動モータ７８を上昇方向に回転させると、駆動ギヤー７９を介してラック８０が上昇し、その押し上げ部８２が被押し上げ部８１に当接するため、第２可動演出体４０が第１可動演出体３９の下側に当接するまでは第２可動演出体４０が単独で上昇し、当接後は両可動演出体３９，４０が一体的に上昇する。そして、第１可動演出体３９が上昇位置Ａに達すると、第１保持手段６２が係合して上昇位置Ａに保持し、また第２可動演出体４０が上昇位置Ｂに達すると、第２保持手段６３が係合して上昇位置Ｂに保持する。
【００８２】
各可動演出体３９，４０の昇降時には、垂れ下がり部８３，８４の余裕内で各フラットケーブル５１，５２が各可動演出体３９，４０の昇降動作に追従しながら、演出制御基板から中継基板５０を経て送られてくる演出制御信号をＬＥＤ基板４８，４９へと伝達する。従って、可動演出体３９，４０の昇降中もＬＥＤ４８ａ，４９ａを点灯又は点滅させることができる。
【００８３】
各フラットケーブル５１，５２は、中継基板５０と各可動演出体３９，４０との間の配置平面内で垂れ下がり部８３，８４が正面視Ｕ字状に湾曲しており、各可動演出体３９，４０の昇降に追従して垂れ下がり部８３，８４が配置平面内でケーブル長手方向に略円弧状に変形することができる。そのため各フラットケーブル５１，５２の垂れ下がり部８３，８４に対して従来のようにケーブル幅方向に外力が加わるようなことがなく、各可動演出体３９，４０の昇降に対して各垂れ下がり部８３，８４がスムーズに追従し、各フラットケーブル５１，５２の損傷を防止することができる。
【００８４】
特に各フラットケーブル５１，５２は垂れ下がり部８３，８４が上下方向及び左右方向の配置平面内で正面視Ｕ字状に垂れ下がっているため、フラットケーブル５１，５２との関係では従来に比較して前後幅を小さく抑えることが可能であり、可動演出ユニット２７全体の前後幅を小型化することができる。
【００８５】
即ち、フラットケーブル５１，５２が平面視Ｕ字状に湾曲する場合には、その湾曲部分の前後幅が非常に大になり、可動演出ユニット２７の前後幅が大きくなる欠点がある。しかし、フラットケーブル５１，５２の垂れ下がり部８３，８４を正面視Ｕ字状に屈曲させて配置平面内に設けることにより、可動演出ユニット２７の前後幅を小型化することができる。
【００８６】
またフラットケーブル５１，５２の垂れ下がり部８３，８４の一端側は押えカバー９１，９２により可動演出体３９，４０の基部側に固定され、他端側は押え部材９７，９８により支持ケース４３の側壁部９６等に固定されているので、各フラットケーブル５１，５２の垂れ下がり部８３，８４は可動演出体３９，４０の昇降に追従して配置平面内で安定的にケーブル長手方向に変形することができる。
【００８７】
更にフラットケーブル５１，５２は押えカバー９１，９２とＬＥＤ基板４８，４９との間の屈曲部５１ａ，５１ｂ、５２ａ〜５２ｄで屈曲し、押え部材９７，９８と中継基板５０との間の屈曲部５１ｃ〜５１ｅ、５２ｅ〜５２ｉで屈曲して、前壁部８７，８８等の隣接部材に沿って設けられているため、ＬＥＤ基板４８，４９及び中継基板５０と垂れ下がり部８３，８４の配置平面とが同じ方向であり、しかもＬＥＤ基板４８，４９及び中継基板５０と垂れ下がり部８３，８４の配置平面とが前後方向にズレているにも拘わらず、ＬＥＤ基板４８，４９、中継基板５０に接続されたフラットケーブル５１，５２を簡単な構造で無理なく垂れ下がり部８３，８４側へと誘導して配置することができる。
【００８８】
第２押え部材９８は両フラットケーブル５１，５２の接触を防止する接触防止部９８ｂを備えているため、第１フラットケーブル５１が第１可動演出体３９の昇降に追従して上下方向に変形しても、両フラットケーブル５１，５２の擦り傷等の損傷を防止することができる。
【００８９】
更に上側の第１可動演出体３９の基部側から垂れ下がる第１フラットケーブル５１の垂れ下がり部８３の左右幅を小さくし、下側の第２可動演出体４０の基部側から垂れ下がる第２フラットケーブル５２の垂れ下がり部８４の左右幅を大きくしているため、第１フラットケーブル５１の垂れ下がり部８３が第２可動演出体４０の基部側に接触して損傷するようなこともない。
【００９０】
両フラットケーブル５１，５２の垂れ下がり部８３，８４を前後に離して配置し、その第２フラットケーブル５２の垂れ下がり部８４の側方に第１ストッパ６４を配置しているので、第１フラットケーブル５２の垂れ下がり部８３と第１ストッパ６４との干渉を防止することができる。
【００９１】
また第２フラットケーブル５２の垂れ下がり部８４の左右幅は、第１フラットケーブル５１側よりも大であり、この第２フラットケーブル５２の第２可動演出体４０の基部側から下方に垂れ下がる部分が第１ストッパ６４よりも昇降案内手段４１側に位置しているため、第２フラットケーブル５２と第１ストッパ６４との干渉も防止することができる。
【００９２】
特に第１ストッパ６４の取り付け台１００の下側の昇降案内手段４１側に隔壁１０１があり、この隔壁１０１に形成された長孔１０２に第２フラットケーブル５２の垂れ下がり部８４が挿通されているので、この隔壁１０１により第２可動演出体４０の昇降時に第２フラットケーブル５２と第１ストッパ６４とが干渉しないように左右に分離できる。
【００９３】
図１４〜図１６は本発明の第２の実施形態を例示する。この実施形態では、第１フラットケーブル５１と第２フラットケーブル５２は前後方向の略同一位置の配置平面内に正面視Ｕ字状に湾曲して配置され、また中継基板５０は各可動演出体３９，４０の基部側の側壁部８９，９０と相対向して支持ケース４３の側壁部９６に装着されている。
【００９４】
各可動演出体３９，４０は２本の案内部材５７により昇降自在に案内されている。各フラットケーブル５１，５２の一端側は各可動演出体３９，４０の側壁部８９，９０の下部の押え部９１ｂ，９２ｂから下方へと側壁部９６に沿って垂れ下がっている。
【００９５】
各フラットケーブル５１，５２の他端側は押え部材９７，９８により支持ケース４３の側壁部９６側に固定されている。他の構成は第１の実施形態と同様である。
【００９６】
この第１フラットケーブル５１と第２フラットケーブル５２は、その垂れ下がり部８３，８４が互いに干渉しない関係にあれば、支持ケース４３内の略同一の配置平面内に上下に設けることも可能である。従って、両フラットケーブル５１，５２は第１の実施形態のように必ずしも前後に離して設ける必要はない。なお、両フラットケーブル５１，５２はそのケーブル幅方向の一部が前後に重なるように配置してもよいし、重ならずにケーブル幅方向に近接するように配置してもよい。
【００９７】
またＬＥＤ基板４８，４９が可動演出体３９，４０の前面に前向きに配置されるのに対して、フラットケーブル５１，５２は可動演出体３９，４０の基部側と中継基板５０との間で正面視Ｕ字状に垂れ下がる垂れ下がり部８３，８４を設ける関係から、可動演出体３９，４０の基部側部分で屈曲させる必要がある。しかし、中継基板５０側は、可動演出体３９，４０の基部側の側壁部８９，９０と対向するように配置すれば、必ずしも折り曲げ部を設ける必要はない。
【００９８】
図１７は本発明の第３の実施形態を例示する。この実施形態の第１可動演出体３９、第２可動演出体４０には、前面側に発光演出部材４６ａ，４７ａとＬＥＤ基板４８，４９とを有する発光演出手段４６，４７が設けられ、また下側の第２可動演出体４０には、上側に突出する第３発光演出手段１１２が設けられている。第３発光演出手段１１２は前後に複数枚（例えば２枚）の発光演出部材１０４，１０５と、この発光演出部材１０４，１０５を発光させるＬＥＤ基板１０６とを備えている。
【００９９】
発光演出部材１０４，１０５は透明板等により構成されており、ＬＥＤ基板１０６からの光を上向きに反射する下端側の反射部１０４ａ，１０５ａと、この反射部１０４ａ，１０５ａからの光を前向きに反射するＶ溝等の反射式の発光演出部１０４ｂ，１０５ｂとが設けられ、下端部が第２可動演出体４０に固定されている。
【０１００】
ＬＥＤ基板１０６は上端部の前後両側にＬＥＤ１０８，１０９を有し、そのＬＥＤ１０８，１０９が各発光演出部材１０４，１０５の反射部１０４ａ，１０５ａと前後に対応するように両発光演出部材１０４，１０５間に配置され、下端部が第２可動演出体４０の支持部１１０，１１１に固定されている。
【０１０１】
第１可動演出体３９側には、第２可動演出体４０が上昇したときに、第３発光演出手段１１２が第１発光演出手段４６の背後に進入するように、第１支持部材４４と第１発光演出手段４６との間に進入空間１１３が設けられている。
【０１０２】
この実施形態では、ＬＥＤ基板１０６の各ＬＥＤ１０８，１０９が発光すると、その光が各発光演出部材１０４，１０５の反射部１０４ａ，１０５ａで板面方向に反射し、Ｖ溝等の反射式の発光演出部１０４ｂ，１０５ｂに照射する。そのため各発光演出部材１０４，１０５の発光演出部１０４ｂ，１０５ｂが前向きに発光し、これによって発光演出を行うことができる。
【０１０３】
図１８、図１９は本発明の第４の実施形態を例示する。この実施形態の可動演出体１１４は前後方向の枢軸１１５廻りに回動自在であり、その可動演出体１１４側のＬＥＤ基板１１６がフラットケーブル１１７を介して固定側の中継基板１１８に接続されている。
【０１０４】
可動演出体１１４は画像表示手段２２の表示画面の前側に突出する演出位置と表示画面から外れた収納位置との間で枢軸１１５廻りに回動自在に支持され、図外の駆動手段の駆動により回動するようになっている。可動演出体１１４は発光演出手段１１９を備え、そのＬＥＤ基板１１６が可動演出体１１４の前面に配置されている。
【０１０５】
フラットケーブル１１７は垂れ下がり部１２０を有し、そのケーブル長手方向の一端側が押え部材１２１により可動演出体１１４の基部側に、他端側が押え部材１２２により固定壁１２５に夫々固定されている。垂れ下がり部１２０、押え部材１２１，１２２は、可動演出体１１４の回動方向を含む作動平面と略平行な配置面上に配置されており、可動演出体１１４が枢軸１１５廻りに回動したときに、各実施形態と同様に垂れ下がり部１２０が配置平面上でケーブル長手方向に追従して変形するようになっている。
【０１０６】
各実施形態と同様に、フラットケーブル１１７の押え部材１２１から一端側は、複数の屈曲部等を介して可動演出体１１４に沿って配置され、ＬＥＤ基板１１６のコネクタ１２３に接続されている。またフラットケーブル１１７の押え部材１２２から他端側は、固定壁１２５に沿って配置され、中継基板１１８のコネクタ１２４に接続されている。
【０１０７】
このように可動演出体１１４が回動する場合には、その回動方向を含む作動平面と略平行な配置面上にフラットケーブル１１７の垂れ下がり部１２０を配置すればよい。従って、フラットケーブル１１７の垂れ下がり部１２０の両端側を必要に応じて適宜屈曲させながら、その垂れ下がり部１２０が作動平面と略平行な配置面上に位置するように配置すればよい。
【０１０８】
以上、本発明の各実施形態について例示したが、本発明はこの各実施形態に限定されるものではなく、本発明の趣旨を逸脱しない範囲で種々の変更が可能である。例えば、各実施形態ではパチンコ機について例示しているが、パチンコ機以外のアレンジボール機、雀球機、その他の遊技機に広く採用可能である。
【０１０９】
また実施形態では、各可動演出体３９，４０を昇降案内手段４１により片持ち状に支持しているが、各可動演出体３９，４０を両持ち状に支持してもよい。可動演出体３９，４０は１個でもよいし、３個以上でもよい。
【０１１０】
可動演出体３９，４０の作動形式は直線運動、回転運動の何れでもよい。直線運動形式の場合には、第１の実施形態等の昇降式の他、左右方向に移動する左右移動式等がある。回転運動形式の場合には、第４の実施形態等の枢軸廻りに往復回動又は往復回転するもの、一方向に回転するもの等がある。
【０１１１】
また可動演出体３９，４０には一般的に演出効果に優れた表現形式のものが使用されるが、画像表示手段２２の演出画像と協働して所定の演出効果を奏するものの他に、画像表示手段２２の演出画像を隠蔽するもの等が考えられる。勿論、これら以外のものでもよい。
【０１１２】
昇降案内手段４１は可動演出体３９，４０を昇降方向に案内でき、また駆動手段４２は昇降案内手段４１に沿って可動演出体３９，４０を昇降、又は上昇させることができれば十分である。
【０１１３】
可動演出体３９，４０において前向きに発光演出を行う場合には、ＬＥＤ基板４８，４９は前向きに設けるのが一般的であるが、ＬＥＤ基板４８，４９と発光演出部材４６ａ，４７ａとの間に、ＬＥＤ４８ａ，４９ａからの光を屈曲させて導光する導光手段、ＬＥＤ４８ａ，４９ａからの光を屈曲状に反射させる反射手段等を設けることも可能であり、その場合にはＬＥＤ基板４８，４９は前向き状である必要はない。
【０１１４】
可動演出体３９，４０の電気的手段として、ＬＥＤ基板４８，４９，１１６を含む発光演出手段４６，４７，１１９を例示しているが、発光演出手段４６，４７，１１９の他、電動モータ、ソレノイド等の他の電気部品でもよい。
【０１１５】
フラットケーブル５１，５２を隣接部材である前壁部８７，８８等に沿って略直角方向に折り曲げて配置する場合には、その屈曲部はケーブル長手方向に対して略４５度前後になる。しかし、フラットケーブル５１，５２の屈曲部は、隣接部材側の条件に応じた方向、角度に屈曲させればよい。従って、屈曲部の屈曲角度は、略４５度前後に限定されるものではない。
【０１１６】
フラットケーブル５１，５２の両端をコネクタ４８ｂ，４９ｂ，８５，８６に接続する場合、そのコネクタ４８ｂ，４９ｂ，８５，８６は基板に設ける他、基板以外の対象部材に直接設けてもよい。また中継基板５０を経由せずにフラットケーブル５１，５２を接続対象側の固定基板に設けられたコネクタに接続してもよい。  
【０１１７】
中継基板５０と可動演出体３９，４０側の電気部品とを接続するフラットケーブル５１，５２は、垂れ下がり部８３，８４の変形で可動演出体３９，４０の作動に追従するのが一般的であるが、垂れ下がり部８３，８４以外の余裕部の変形で追従するようにしてもよい。その場合、例えば余裕部は上側に突出して円弧状に湾曲するように構成することも可能である。
【０１１８】
余裕部を配置すべき配置平面は、可動演出体３９，４０，１１４の作動方向を含む作動平面と略平行であればよい。従って、例えば可動演出体３９，４０が上下方向、又は左右方向に直線方向に作動する場合には、その直線方向を含む無数の平面のうち、任意の平面が作動平面となり、その作動平面に略平行な面が配置平面となる。
【０１１９】
フラットケーブル５１，５２の屈曲数、屈曲方向、屈曲角度等は、それを配置する可動演出体３９，４０側の形状等に応じて適宜決定すればよい。中継基板５０は可動演出体３９，４０側のＬＥＤ基板４８，４９等の板面と略平行に設けてもよいし、略直角に交差する方向に設けてもよい。
【０１２０】
フラットケーブル５１，５２は隣接部材の連続面に沿って配置してもよいし、途中に凹部等の途切れ部分がある隣接部材に沿って配置してもよい。従って、隣接部材は間欠的に配置してもよい。
【０１２１】
中継基板５０をＬＥＤ基板４８，４９等に対して略直角方向に配置する場合には、その中継基板５０の位置をフラットケーブル５１，５２の垂れ下がり部８３，８４の位置に合わせることにより、中継基板５０側の屈曲数を少なくすることができる。
【０１２２】
通常は単一の中継基板５０を複数のフラットケーブル５１，５２等のハーネスに共通に使用するが、可動演出体３９，４０側に複数種類の制御対象がある場合には、個別の条件に応じて複数の中継基板５０を設けて、制御対象毎に異なる中継基板５０に接続するようにしてもよい。従って、中継基板５０は１個に限定されるものではない。
【符号の説明】
【０１２３】
４  遊技盤
２２  画像表示手段
３９，４０，１１４  可動演出体
４１  昇降案内手段
４４，４５  支持部材（隣接部材）
４６，４７  発光演出手段（電気的手段）
４６ａ，４７ａ  発光演出部材
４８，４９，１１６  ＬＥＤ基板
５０，１１８  中継基板
５１，５２，１１７  フラットケーブル
６４，６５  ストッパ
８３，８４，１２０  垂れ下がり部（余裕部）
９１，９２  押えカバー
９７，９８  押え部材
【図１】
2017148168.tif 000003
【図２】
2017148168.tif 000004
【図３】
2017148168.tif 000005
【図４】
2017148168.tif 000006
【図５】
2017148168.tif 000007
【図６】
2017148168.tif 000008
【図７】
2017148168.tif 000009
【図８】
2017148168.tif 000010
【図９】
2017148168.tif 000011
【図１０】
2017148168.tif 000012
【図１１】
2017148168.tif 000013
【図１２】
2017148168.tif 000014
【図１３】
2017148168.tif 000015
【図１４】
2017148168.tif 000016
【図１５】
2017148168.tif 000017
【図１６】
2017148168.tif 000018
【図１７】
2017148168.tif 000019
【図１８】
2017148168.tif 000020
【図１９】
2017148168.tif 000021
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
作動平面上を作動可能な可動演出体側の電気的手段と固定側の電気的手段とを、前記可動演出体の作動に追従して変形可能な余裕部を有するフラットケーブルを介して接続した遊技機において、
前記余裕部はそのケーブル幅方向が前記可動演出体の作動平面に対して略垂直方向に配置され、
前記余裕部から前記可動演出体側の前記フラットケーブル及び／又は前記余裕部から前記固定側の前記フラットケーブルは、１又は複数の屈曲部で屈曲して前記可動演出体側の隣接部材及び／又は前記固定側の隣接部材に沿って配置され、
前記可動演出体側の隣接部材は、該隣接部材に沿って配置された前記フラットケーブルを収容する溝を備え、
前記可動演出体は、前記溝内の前記フラットケーブルを前記隣接部材側に押える押えカバーを備えた
ことを特徴とする遊技機。
【請求項２】
前記各電気的手段はコネクタを有する基板を備え、
前記コネクタに接続される前記フラットケーブルの両端の接続部はその幅方向が前記基板の板面と略平行である
ことを特徴とする請求項１に記載の遊技機。
【請求項３】
遊技盤の裏側に配置された画像表示手段を備え、
前記可動演出体は前記遊技盤と前記画像表示手段との間で前記遊技盤及び／又は前記画像表示手段の表示画面に沿って作動可能であり、
前記余裕部は前記遊技盤の裏側で前記画像表示手段の表示画面から外れた位置に配置した
ことを特徴とする請求項１又は２に記載の遊技機。
【請求項４】
前記電気的手段はＬＥＤ基板を備えた発光演出手段であり、
該発光演出手段は発光表示部と、該発光表示部を裏側から発光させるＬＥＤ及び前記コネクタを含むＬＥＤ基板とを備えた
ことを特徴とする請求項１〜３の何れかに記載の遊技機。
【手続補正２】
【補正対象書類名】明細書
【補正対象項目名】０００５
【補正方法】変更
【補正の内容】
【０００５】
本発明は、作動平面上を作動可能な可動演出体側の電気的手段と固定側の電気的手段とを、前記可動演出体の作動に追従して変形可能な余裕部を有するフラットケーブルを介して接続した遊技機において、前記余裕部はそのケーブル幅方向が前記可動演出体の作動平面に対して略垂直方向に配置され、前記余裕部から前記可動演出体側の前記フラットケーブル及び／又は前記余裕部から前記固定側の前記フラットケーブルは、１又は複数の屈曲部で屈曲して前記可動演出体側の隣接部材及び／又は前記固定側の隣接部材に沿って配置され、前記可動演出体側の隣接部材は、該隣接部材に沿って配置された前記フラットケーブルを収容する溝を備え、前記可動演出体は、前記溝内の前記フラットケーブルを前記隣接部材側に押える押えカバーを備えたものである。
前記各電気的手段はコネクタを有する基板を備え、前記コネクタに接続される前記フラットケーブルの両端の接続部はその幅方向が前記基板の板面と略平行であってもよい。
遊技盤の裏側に配置された画像表示手段を備え、前記可動演出体は前記遊技盤と前記画像表示手段との間で前記遊技盤及び／又は前記画像表示手段の表示画面に沿って作動可能であり、前記余裕部は前記遊技盤の裏側で前記画像表示手段の表示画面から外れた位置に配置してもよい。
前記電気的手段はＬＥＤ基板を備えた発光演出手段であり、該発光演出手段は発光表示部と、該発光表示部を裏側から発光させるＬＥＤ及び前記コネクタを含むＬＥＤ基板とを備えたものでもよい。